(57)【要約】      （修正有）【課題】小型化が可能なデュアルモード通信装置及びデュアルモード通信モジ  ュールを提供する。【解決手段】制御モジュール及びデュアルモード通信モジュールを備えるデュアルモード通信装置であって、デュアルモード通信モジュールは、第１の伝送インターフェースを含み、第１の伝送インターフェースによって制御モジュールと電気的に接続される第１の通信ユニットと、第１の通信ユニットに電気的に接続され、第１の通信ユニットによってオン状態またはオフ状態が制御される第２の通信ユニットと、第１の通信ユニットと電気的に接続される第１のアンテナと、第２の通信ユニットと電気的に接続される第２のアンテナと、を備える。【選択図】図１
0003223652.tif 000002
【実用新案登録請求の範囲】
【請求項１】
制御モジュールと、
第１の伝送インターフェースを含んで、前記第１の伝送インターフェースを介して前記制御モジュールと接続する第１の伝送インターフェースと、
を備える、デュアルモード通信装置であって、
前記デュアルモード通信モジュールは、
前記第１の伝送インターフェースに電気的に接続される第１の通信ユニットと、
前記第１の通信ユニットに電気的に接続され、前記第１の通信ユニットによりオン状態またはオフ状態が制御される第２の通信ユニットと、
前記第１の通信ユニットと電気的に接続される第１のアンテナと、
前記第２の通信ユニットと電気的に接続される第２のアンテナと、
を含む、ことを特徴とする、デュアルモード通信装置。
【請求項２】
前記第１の伝送インターフェースはｍｉｎｉ−ＰＣＩ  Ｅｘｐｒｅｓｓインターフェースである、請求項１に記載のデュアルモード通信装置。
【請求項３】
前記デュアルモード通信モジュールは、前記第１の伝送インターフェース、前記第１の通信ユニット、及び前記第２の通信ユニットに電気的に接続される第１のスイッチユニットをさらに備える、請求項１に記載のデュアルモード通信装置。
【請求項４】
前記デュアルモード通信モジュールは、前記第２の通信ユニットに電気的に接続される第３のアンテナをさらに含む、請求項１に記載のデュアルモード通信装置。
【請求項５】
前記第１のアンテナはＢｌｕｅｔｏｏｔｈ通信アンテナであり、前記第２のアンテナはモバイル通信アンテナであり、前記第３のアンテナは、グローバルポジショニングシステムアンテナである、請求項４に記載のデュアルモード通信装置。
【請求項６】
前記第１の伝送インターフェースは、ウェイクアップ信号端子、第１のクロック信号端子、第２のクロック信号端子、及び第３のクロック信号端子を含む、請求項１に記載のデュアルモード通信装置。
【考案の詳細な説明】
【技術分野】
【０００１】
本考案は、デュアルモード通信装置及びデュアルモード通信モジュールに関し、特に、複数のアンテナと接続するデュアルモード通信装置及びデュアルモード通信モジュールに関する。
【背景技術】
【０００２】
従来の通信モジュールは、通信伝送に単一の通信プロトコルで行うか、または複数の通信プロトコルを切り替えて通信モジュールを行うことが多い。しかしながら、そのような通信方式では、大量の通信機器を必要となるだけでなく、レイアウトや配線設計にもそれと相応的なデザインが要求される。
【０００３】
そのため、小型化が可能なデュアルモード通信装置およびデュアルモード通信モジュールを提供することが業界において重要な課題となっている。
【考案の概要】
【考案が解決しようとする課題】
【０００４】
本考案が解決しようとする課題の１つとしては、既存の技術の不足に対して、小型化が可能なデュアルモード通信装置およびデュアルモード通信モジュールを提供することである。
【課題を解決するための手段】
【０００５】
上記の技術的課題を解決するために、本考案に開示されたデュアルモード通信装置及びデュアルモード通信モジュールは、制御モジュールモジュールと、第１の伝送インターフェースを含んで、前記第１の伝送インターフェースを介して前記制御モジュールと接続する第１の伝送インターフェースと、を備える。前記デュアルモード通信モジュールは、前記第１の伝送インターフェースに電気的に接続される第１の通信ユニットと、前記第１の通信ユニットに電気的に接続され、前記第１の通信ユニットによりオン状態またはオフ状態が制御される第２の通信ユニットと、前記第１の通信ユニットと電気的に接続される第１のアンテナと、前記第２の通信ユニットと電気的に接続される第２のアンテナと、を含む。
【０００６】
また、本考案にさらにデュアルモード通信モジュールが提供される。該デュアルモード通信モジュールは、第１の伝送インターフェースと、前記第１の伝送インターフェースに電気的に接続される第１の通信ユニットと、前記第１の通信ユニットに電気的に接続される第２の通信ユニットと、前記第１の通信ユニットに電気的に接続される第１のアンテナと、前記第２の通信ユニットに電気的に接続される第２のアンテナと、前記第１の伝送インターフェース、前記第１の通信ユニット、及び前記第２の通信ユニットに電気的に接続され、直流電圧を受電するためのスイッチユニットとを備える。なかでも、前記第１の通信ユニットは前記第２の通信ユニットのオン状態またはオフ状態を制御するために制御信号を前記スイッチユニットに伝送する。
【考案の効果】
【０００７】
本考案による有益な効果の１つとしては、本考案が提供するデュアルモード通信装置及びデュアルモード通信モジュールは、異なる２つの通信ユニットを配置することによって、異なる信号の受送信を行い、それによって、配置スペースを節約するだけでなく、コストを大幅に節約することができる。また、本考案によるデュアルモード通信装置及びデュアルモード通信モジュールは第１のスイッチユニットによって省電力の機能を果たせて、機器の消費電力を抑える効果がある。
【図面の簡単な説明】
【０００８】
【図１】本考案の第１の実施形態によるデュアルモード通信装置を示すブロック図である。
【図２】本考案の第１の実施形態によるデュアルモード通信モジュールを示すブロック図である。
【図３】本考案の第２の実施形態によるデュアルモード通信モジュールを示すブロック図である。
【図４】本考案の第２の実施形態による第１の伝送インターフェースの一部の端子を示す模式図である。
【考案を実施するための形態】
【０００９】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１０】
下記より、具体的な実施例で本考案が開示する「デュアルモード通信装置及びデュアルモード通信モジュール」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１１】
なお、本明細書において「第１」、「第２」、「第３」等の用語で各種の部品又は信号を説明する可能性があるが、これらの部品又は信号はこれらの用語によって制限されるものではない。これらの用語は、主として一つの部品と別の部品、又は一つの信号と別の信号を区分するためのものであることが理解されたい。また、本明細書に用いられる「又は」という用語は、実際の状況に応じて、関連する項目中の何れか一つ又は複数の組合せを含み得る。そして、本考案におけるＢｌｕｅｔｏｏｔｈは登録商標である。
【００１２】
[第１の実施形態]
図１及び図２を参照する。図１は本考案の第１の実施形態によるデュアルモード通信装置を示すブロック図である。図２は本考案の第２の実施形態によるデュアルモード通信モジュールを示すブロック図である。
【００１３】
デュアルモード通信装置１は、制御モジュール１０及びデュアルモード通信モジュール１１を備える。制御モジュール１０はマイクロプロセッサ（Ｍｉｃｒｏ  Ｐｒｏｃｅｓｓｏｒ）、又は中央処理装置（Ｃｅｎｔｒａｌ  Ｐｒｏｃｅｓｓｉｎｇ  Ｕｎｉｔ）であり、本考案に制限されない。本実施形態において、制御モジュール１０は回路基板（図示されない）に配置される。回路基板に少なくとも１つのデュアルモード通信モジュール１１と電気的に接続するように複数のスロットが配置される。デュアルモード通信モジュール１１は少なくとも１つの第１のアンテナ１１５及び第２のアンテナ１１６と接続する。本実施形態において、デュアルモード通信モジュール１１はさらに第３のアンテナ１１７と電気的に接続される。
【００１４】
デュアルモード通信モジュール１１は第１の通信ユニット１１１、第２の通信ユニット１１２、第１のスイッチユニット１１３、第１の伝送インターフェース１１４、第１のアンテナ１１５、第２のアンテナ１１６、及び第３のアンテナ１１７を含む。
【００１５】
デュアルモード通信モジュール１１は、第１の伝送インターフェース１１４を介して制御モジュール１０に電気的に接続される。第１の通信ユニット１１１は第１の伝送インターフェース１１４に電気的に接続される。第２の通信ユニット１１２は第１の通信ユニット１１１に電気的に接続される。本実施形態において、第１の通信ユニット１１１はＢｌｕｅｔｏｏｔｈ通信チップである。第２の通信ユニット１１２はモバイル通信チップであり、第２の通信ユニット１１２は第４世代モバイル通信チップ（４Ｇ  ＬＴＥ）、または第５世代モバイル通信チップ（５Ｇ）である。第１のアンテナ１１５はデュアルモード通信モジュール１１の第１の通信ユニット１１１に電気的に接続される。即ち、第１のアンテナ１１５はＢｌｕｅｔｏｏｔｈ通信アンテナである。第２のアンテナ１１６はデュアルモード通信モジュール１１の第２の通信ユニット１１２に電気的に接続される。第２のアンテナ１１６はモバイル通信アンテナである。即ち、第２のアンテナ１１６は４Ｇアンテナ又は５Ｇアンテナであるが、それは実際のニーズに応じて調整することができ、本考案はそれに制限されない。
【００１６】
デュアルモード通信装置１は、第１のアンテナ１１５及び第２のアンテナ１１６に接続するため、デュアルモード通信装置１はそれぞれＢｌｕｅｔｏｏｔｈ通信信号（Ｂｌｕｅｔｏｏｔｈ信号）及びモバイル通信信号（４Ｇまたは５Ｇ信号）を受信または送信することができる。そして、本実施形態において、第２の通信ユニット１１２が受信したモバイル通信信号（４Ｇまたは５Ｇ信号）は第１の通信ユニット１１１により転換された後、制御モジュール１０に伝送される。そのため、電力を節約するために、第１の通信ユニット１１１は第１のスイッチユニット１１３を介して第２の通信ユニット１１２のオン状態またはオフ状態を制御することができる。
【００１７】
第１のスイッチユニット１１３は、第１の伝送インターフェース１１４、第１の通信ユニット１１１、及び第２の通信ユニット１１２に電気的に接続する。
【００１８】
第１のスイッチユニット１１３は第１の伝送インターフェース１１４を介して直流電圧を受電する。本実施形態において、第１の伝送インターフェース１１４が受けた直流電圧は第１の通信ユニット１１１に直接に供給される。第２の通信ユニット１１２は、第１のスイッチユニット１１３を介しないと直流電圧を受電することができない。また、本実施形態において、第１の通信ユニット１１１は第２の通信ユニット１１２の電源供給を制御するために、オン信号またはオフ信号を第１のスイッチユニット１１３に送信する。
【００１９】
第２の通信ユニット１１２の作動が必要である場合、第１の通信ユニット１１１はオン信号を第１のスイッチユニット１１３に送信して、第１のスイッチユニット１１３をオンにして、それにより、第２の通信ユニット１１２が信号伝送できるように第２の通信ユニット１１２直流電圧を受電させる。それに対して、第２の通信ユニット１１２に信号の伝送を行わない場合、第１の通信ユニット１１１はオフ信号を第１のスイッチユニット１１３に送信し、それにより、第１のスイッチユニット１１３をオフにするとともに、第２の通信ユニット１１２に対する電源供給をオフにする。
【００２０】
また、デュアルモード通信モジュール１１は第３のアンテナ１１７をさらに含む。第３のアンテナ１１７は第２の通信ユニット１１２に電気的に接続する。本実施形態において、第１の伝送インターフェース１１４はｍｉｎｉ−ＰＣＩ  Ｅｘｐｒｅｓｓインターフェースである。第３のアンテナ１１７はグローバルポジショニングシステムアンテナである。
【００２１】
［第２の実施形態］
図３及び図４を参照する。図３は、本考案の第２の実施形態によるデュアルモード通信モジュールを示すブロック図である。図４は本考案の第２の実施形態による第１の伝送インターフェースの一部の端子を示す模式図である。
【００２２】
デュアルモード通信モジュール２１は少なくとも第１のアンテナ２１５及び第２のアンテナ２１６に接続する。本実施形態において、デュアルモード通信モジュール２１は第３のアンテナ２１７にさらに電気的に接続される。
【００２３】
デュアルモード通信モジュール２１は、第１の通信ユニット２１１、第２の通信ユニット２１２、第１のスイッチユニット２１３、第１の伝送インターフェース２１４、第１のアンテナ２１５、第２のアンテナ２１６、及び第３のアンテナ２１７を含む。
【００２４】
デュアルモード通信モジュール２１は、第１の伝送インターフェース２１４を介して外部制御器（図示されない）に電気的に接続する。第１の通信ユニット２１１は、第１の伝送インターフェース２１４に電気的に接続する。第２の通信ユニット２１２は第１の通信ユニット２１１に電気的に接続する。本実施形態において、第１の通信ユニット２１１はＢｌｕｅｔｏｏｔｈ通信チップである。第２の通信ユニット２１２はモバイル通信チップであり、第２の通信ユニット２１２は第４世代モバイル通信チップ（４Ｇ  ＬＴＥ）、または第５世代モバイル通信チップ（５Ｇ）である。第１のアンテナ２１５はデュアルモード通信モジュール２１の第１の通信ユニット２１１に電気的に接続する。即ち、第１のアンテナ２１５はＢｌｕｅｔｏｏｔｈ通信アンテナである。第２のアンテナ２１６はデュアルモード通信モジュール２１の第２の通信ユニット２１２に電気的に接続する。第２のアンテナ２１６はモバイル通信アンテナである。即ち、第２のアンテナ２１６は４Ｇアンテナまたは５Ｇアンテナであり、実際のニーズに応じて調整でき、本考案はそれに制限されない。第１の通信ユニット２１１は、ユニバーサル非同期受信／送信通信インターフェース（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ，ＵＡＲＴ）で第２の通信ユニット２１２と電気的に接続する。第１の通信ユニット２１１は、汎用入力／出力通信インターフェース（Ｇｅｎｅｒａｌ−ｐｕｒｐｏｓｅ  ｉｎｐｕｔ／ｏｕｔｐｕｔ，ＧＰＩＯ）により第１の伝送インターフェース及び第１のスイッチユニットと電気的に接続する。
【００２５】
本実施形態において、デュアルモード通信モジュール２１は第１のアンテナ１１５及び第２のアンテナ１１６に接続するため、デュアルモード通信モジュール２１はＢｌｕｅｔｏｏｔｈ通信信号（Ｂｌｕｅｔｏｏｔｈ信号）及びモバイル通信信号（４Ｇまたは５Ｇ信号）をそれぞれ送受信することができる。かつ、本実施形態において、第２の通信ユニット２１２が受信したモバイル通信信号（４Ｇまたは５Ｇ信号）は第１の通信ユニット２１１により変換されてから、外部制御器（図示されない）に伝送される。そのため、第１の通信ユニット２１１は、省電力のために、第１のスイッチユニット２１３によって第２の通信ユニット２１２のオン状態またはオフ状態を制御することができる。
【００２６】
第１のスイッチユニット２１３は、第１の伝送インターフェース２１４、第１の通信ユニット２１１、及び第２の通信ユニット２１２に電気的に接続する。
【００２７】
第１のスイッチユニット２１３は、第１の伝送インターフェース２１４を介して直流電圧を受電する。本実施形態において、第１の伝送インターフェース２１４が受電した直流電圧は直接に第１の通信ユニット２１１に伝送される。第２の通信ユニット２１２は第１のスイッチユニット２１３を介しないと直流電圧を受電することができない。また、本実施形態において、第１の通信ユニット２１１は第２の通信ユニット２１２の電源供給を制御するために、オン信号またはオフ信号を第１のスイッチユニット２１３に送信する。
【００２８】
第２の通信ユニット２１２の作動が必要である場合、第１の通信ユニット２１１はオン信号を第１のスイッチユニット２１３に送信して、第１のスイッチユニット２１３をオンにして、それにより、第２の通信ユニット２１２に信号伝送ができるように第２の通信ユニット２１２は直流電圧を受電させる。それに対して、通信伝送に第２の通信ユニット２１２を必要しない場合、第１の通信ユニット２１１はオフ信号を第１のスイッチユニット２１３に送信し、それにより、第１のスイッチユニット２１３をオフにするとともに、第２の通信ユニット２１２の電源供給をオフにする。
【００２９】
また、デュアルモード通信モジュール２１は第３のアンテナ２１７をさらに含む。第３のアンテナ２１７は第２の通信ユニット２１２に電気的に接続する。本実施形態において、第１の伝送インターフェース２１４はｍｉｎｉ−ＰＣＩ  Ｅｘｐｒｅｓｓインターフェースである。第３のアンテナ２１７はグローバルポジショニングシステムアンテナである。
【００３０】
図４に示すように、デュアルモード通信モジュール２１は通信接続または電気接続を行うために外部制御器が必要するため、第１の伝送インターフェース２１４にウェイクアップ信号端子ＷＡＫＥ、第１のクロック信号端子ＣＬＫ１、第２のクロック信号端子ＣＬＫ２及び第３のクロック信号端子ＣＬＫ３など少なくとも４つの端子が設けられる。即ち、デュアルモード通信モジュール２１の第１の伝送インターフェース２１４少なくとも３つのクロック信号端子を含む。実際のデザインでは、第１の伝送インターフェース２１４は他の外部信号に対応する端子が配置されているが、本考案では制限されない。
【００３１】
［実施形態による有益な効果］
本考案による有益な効果の１つとしては、本考案が提供するデュアルモード通信装置及びデュアルモード通信モジュールは、異なる２つの通信ユニットを配置することによって、異なる信号の受送信を行い、それによって、配置スペースを節約するだけでなく、コストを大幅に節約することができる。また、本考案によるデュアルモード通信装置及びデュアルモード通信モジュールは第１のスイッチユニットによって省電力の機能を果たせて、機器の消費電力を抑える効果がある。
【００３２】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００３３】
１：デュアルモード通信装置
１０：制御モジュール
１１、２１：デュアルモード通信モジュール
１１１、２１１：第１の通信ユニット
１１２、２１２：第２の通信ユニット
１１３、２１３：第１のスイッチユニット
１１４、２１４：第１の伝送インターフェース
１１５、２１５：第１のアンテナ
１１６、２１６：第２のアンテナ
１１７、２１７：第３のアンテナ
ＷＡＫＥ：ウェイクアップ信号端子
ＣＬＫ１：第１のクロック信号端子
ＣＬＫ２：第２のクロック信号端子
ＣＬＫ３：第３のクロック信号端子
【図１】
0003223652.tif 000003
【図２】
0003223652.tif 000004
【図３】
0003223652.tif 000005
【図４】
0003223652.tif 000006
【手続補正書】
【提出日】令和1年8月22日(2019.8.22)
【手続補正１】
【補正対象書類名】実用新案登録請求の範囲
【補正対象項目名】全文
【補正方法】変更
【補正の内容】
【実用新案登録請求の範囲】
【請求項１】
制御モジュールと、
第１の伝送インターフェースを含んで、前記第１の伝送インターフェースを介して前記制御モジュールと接続する第１の伝送インターフェースと、
を備える、デュアルモード通信装置であって、
前記デュアルモード通信モジュールは、
前記第１の伝送インターフェースに電気的に接続される第１の通信ユニットと、
前記第１の通信ユニットに電気的に接続され、前記第１の通信ユニットによりオン状態またはオフ状態が制御される第２の通信ユニットと、
前記第１の通信ユニットと電気的に接続される第１のアンテナと、
前記第２の通信ユニットと電気的に接続される第２のアンテナと、
を含む、ことを特徴とする、デュアルモード通信装置。
【請求項２】
前記第１の伝送インターフェースはｍｉｎｉ−ＰＣＩ  Ｅｘｐｒｅｓｓインターフェースである、請求項１に記載のデュアルモード通信装置。
【請求項３】
前記デュアルモード通信モジュールは、前記第１の伝送インターフェース、前記第１の通信ユニット、及び前記第２の通信ユニットに電気的に接続される第１のスイッチユニットをさらに備える、請求項１に記載のデュアルモード通信装置。
【請求項４】
前記デュアルモード通信モジュールは、前記第２の通信ユニットに電気的に接続される第３のアンテナをさらに含む、請求項１に記載のデュアルモード通信装置。
【請求項５】
前記第１のアンテナはＢｌｕｅｔｏｏｔｈ（登録商標）通信アンテナであり、前記第２のアンテナはモバイル通信アンテナであり、前記第３のアンテナは、グローバルポジショニングシステムアンテナである、請求項４に記載のデュアルモード通信装置。
【請求項６】
前記第１の伝送インターフェースは、ウェイクアップ信号端子、第１のクロック信号端子、第２のクロック信号端子、及び第３のクロック信号端子を含む、請求項１に記載のデュアルモード通信装置。